【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
カメラが各エリアを撮影して得られた各画像データに含まれる第１の被写体、及び第２の被写体を特定して、それぞれの被写体毎に当該被写体が特定されたエリアを示すエリア情報を時系列で管理する管理手段と、
前記管理手段により管理されたエリア情報を用いて、前記第１の被写体が特定された各エリアの順番と、前記第２の被写体が特定された各エリアの順番とが異なるかを判定する判定手段と、
前記判定手段により、前記第１の被写体が特定された各エリアの順番と、前記第２の被写体が特定された各エリアの順番とが異なると判定されたことを条件に、当該判定の結果をアラートとして通知する通知手段と、
を備えることを特徴とする情報処理装置。
【請求項２】
前記通知手段は、前記判定手段により、前記第１の被写体が特定された各エリアの順番と、前記第２の被写体が特定された各エリアの順番とが異ならないと判定されたことを条件に、前記アラートを通知しないことを特徴とする請求項１に記載の情報処理装置。
【請求項３】
前記判定手段は、前記カメラが撮影した最後の撮影時間から過去の所定期間内における、前記管理手段により管理されたエリア情報を用いて、前記第１の被写体が特定された各エリアの順番と、前記第２の被写体が特定された各エリアの順番とが異なるかを判定することを特徴とする請求項１又は２に記載の情報処理装置。
【請求項４】
前記管理手段により管理されたエリア情報を用いて、同一の時期おいて、前記第１の被写体が特定されたエリアと、前記第２の被写体が特定されたエリアとが異なるかを判定するエリア判定手段を更に備え、
前記通知手段は、前記エリア判定手段により、同一の時期おいて、前記第１の被写体が特定されたエリアと、前記第２の被写体が特定されたエリアとが異なると判定された場合で、かつ、前記判定手段により、前記第１の被写体が特定された各エリアの順番と、前記第２の被写体が特定された各エリアの順番とが異なると判定された場合には、前記アラートを通知し、また、前記エリア判定手段により、同一の時期おいて、前記第１の被写体が特定されたエリアと、前記第２の被写体が特定されたエリアとが異なると判定された場合であっても、前記判定手段により、前記第１の被写体が特定された各エリアの順番と、前記第２の被写体が特定された各エリアの順番とが異ならないと判定された場合には、前記アラートを通知しないことを特徴とする請求項１乃至３の何れか１項に記載の情報処理装置。
【請求項５】
前記管理手段により管理されたエリア情報を用いて、前記カメラが最後に撮影した撮影時間において、前記第１の被写体が特定されたエリアと、前記第２の被写体が特定されたエリアとが異なるかを判定する最後エリア判定手段を更に備え、
前記エリア判定手段は、最後エリア判定手段により、前記カメラが最後に撮影した撮影時間において、前記第１の被写体が特定されたエリアと、前記第２の被写体が特定されたエリアとが異なると判定された場合に、前記管理手段により管理されたエリア情報を用いて、前記カメラが撮影した最後の撮影時間から過去の所定期間内において、前記第１の被写体が特定されたエリアと、前記第２の被写体が特定されたエリアとが異なるかを判定し、
前記エリア判定手段により、前記カメラが撮影した最後の撮影時間から過去の所定期間内において、前記第１の被写体が特定されたエリアと、前記第２の被写体が特定されたエリアとが異なると判定された場合には、前記判定手段による判定処理を行い、一方、前記最後エリア判定手段により、前記カメラが最後に撮影した撮影時間において、前記第１の被写体が特定されたエリアと、前記第２の被写体が特定されたエリアとが異ならないと判定された場合、又は、前記エリア判定手段により、前記カメラが撮影した最後の撮影時間から過去の所定期間内おいて、前記第１の被写体が特定されたエリアと、前記第２の被写体が特定されたエリアと、が異ならないと判定された場合には、前記判定手段による判定処理を行わないように制御する制御手段と、
を備えることを特徴とする請求項４に記載の情報処理装置。
【請求項６】
前記第１の被写体が特定された各エリアの順番は、前記第１の被写体の移動経路であり、前記第２の被写体が特定された各エリアの順番は、前記第２の被写体の移動経路であることを特徴とする請求項１乃至５の何れか１項に記載の情報処理装置。
【請求項７】
エリアごとに設置された各カメラが所定時間毎に撮影した各画像データと、当該撮影したカメラを識別する識別情報とを取得する取得手段を更に備え、
前記管理手段は、前記取得手段により取得された画像データに含まれる被写体と、前記取得手段により取得された識別情報により識別されるカメラが撮影するエリアとを特定して、当該特定されたエリアのエリア情報を、当該被写体が特定されたエリアのエリア情報として時系列で管理することを特徴とする請求項１乃至６の何れか１項に記載の情報処理装置。
【請求項８】
前記第２の被写体は、前記第１の被写体が引率する被写体であり、
前記アラートは、前記第２の被写体が迷子になる旨のメッセージを含むことを特徴とする請求項１乃至７の何れか１項に記載の情報処理装置。
【請求項９】
前記アラートは、前記第２の被写体が特定されたエリアを示すエリア情報を含むことを特徴とする請求項８に記載の情報処理装置。
【請求項１０】
前記管理手段により管理されたエリア情報を用いて特定された前記第１の被写体のエリアが、前記カメラが設置された施設の出口、又は出口付近エリアではないときに、前記管理手段により管理されたエリア情報を用いて特定された前記第２の被写体のエリアが、前記カメラが設置された施設の出口、又は出口付近エリアであるかを判定する出口エリア判定手段と、
前記出口エリア判定手段により、前記第１の被写体のエリアが、前記カメラが設置された施設の出口、又は出口付近エリアではないときに、前記第２の被写体のエリアが、前記カメラが設置された施設の出口、又は出口付近エリアであると判定された場合には、前記第２の被写体が施設の外に出てしまう旨を通知する出口通知手段と、
を更に備えることを通知する請求項１乃至９の何れか１項に記載の情報処理装置。
【請求項１１】
前記管理手段により管理されたエリア情報を用いて、前記カメラが撮影した最後の撮影時間から過去の所定期間内に、前記第１の被写体が特定されたエリアが無いものの、前記第２の被写体が特定されたエリアがあり、かつ、前記第１の被写体が特定された最後のエリアが出口、又は出口付近エリアであるかを判定する置き去り判定手段と、
前記置き去り判定手段により、前記カメラが撮影した最後の撮影時間から過去の所定期間内に、前記第１の被写体が特定されたエリアが無いものの、前記第２の被写体が特定されたエリアがあり、かつ、前記第１の被写体が特定された最後のエリアが出口、又は出口付近エリアであると判定された場合には、前記第２の被写体が施設内に置き去りになっている旨の通知を行う置き去り通知手段と、
を更に備えることを特徴とする請求項１乃至１０の何れか１項に記載の情報処理装置。
【請求項１２】
管理手段が、カメラが各エリアを撮影して得られた各画像データに含まれる第１の被写体、及び第２の被写体を特定して、それぞれの被写体毎に当該被写体が特定されたエリアを示すエリア情報を時系列で管理する管理工程と、
判定手段が、前記管理工程により管理されたエリア情報を用いて、前記第１の被写体が特定された各エリアの順番と、前記第２の被写体が特定された各エリアの順番とが異なるか否かを判定する判定工程と、
通知手段が、前記判定工程により、前記第１の被写体が特定された各エリアの順番と、前記第２の被写体が特定された各エリアの順番とが異なると判定されたことを条件に、当該判定の結果をアラートとして通知する通知工程と、
を備えることを特徴とする情報処理装置の制御方法。
【請求項１３】
情報処理装置で読み取り実行可能なプログラムであって、
前記情報処理装置を、
カメラが各エリアを撮影して得られた各画像データに含まれる第１の被写体、及び第２の被写体を特定して、それぞれの被写体毎に当該被写体が特定されたエリアを示すエリア情報を時系列で管理する管理手段と、
前記管理手段により管理されたエリア情報を用いて、前記第１の被写体が特定された各エリアの順番と、前記第２の被写体が特定された各エリアの順番とが異なるか否かを判定する判定手段と、
前記判定手段により、前記第１の被写体が特定された各エリアの順番と、前記第２の被写体が特定された各エリアの順番とが異なると判定されたことを条件に、当該判定の結果をアラートとして通知する通知手段として機能させることを特徴とするプログラム。
【手続補正２】
【補正対象書類名】明細書
【補正対象項目名】０００１
【補正方法】変更
【補正の内容】
【０００１】
本発明は、情報処理装置、及びその制御方法、プログラムに関し、特に、第１の被写体が特定された各エリアの順番と、第２の被写体が特定された各エリアの順番とが異なると判定されたことを条件に、当該判定の結果をアラートとして通知するための技術に関するものである。
【手続補正３】
【補正対象書類名】明細書
【補正対象項目名】０００６
【補正方法】変更
【補正の内容】
【０００６】
そこで、本発明の目的は、第１の被写体が特定された各エリアの順番と、第２の被写体が特定された各エリアの順番とが異なると判定されたことを条件に、当該判定の結果をアラートとして通知する仕組みを提供することである。
【手続補正４】
【補正対象書類名】明細書
【補正対象項目名】０００７
【補正方法】変更
【補正の内容】
【０００７】
本発明は、カメラが各エリアを撮影して得られた各画像データに含まれる第１の被写体、及び第２の被写体を特定して、それぞれの被写体毎に当該被写体が特定されたエリアを示すエリア情報を時系列で管理する管理手段と、前記管理手段により管理されたエリア情報を用いて、前記第１の被写体が特定された各エリアの順番と、前記第２の被写体が特定された各エリアの順番とが異なるかを判定する判定手段と、前記判定手段により、前記第１の被写体が特定された各エリアの順番と、前記第２の被写体が特定された各エリアの順番とが異なると判定されたことを条件に、当該判定の結果をアラートとして通知する通知手段と、を備えることを特徴とする。
【手続補正５】
【補正対象書類名】明細書
【補正対象項目名】０００８
【補正方法】変更
【補正の内容】
【０００８】
また、本発明は、情報処理装置の制御方法であって、管理手段が、カメラが各エリアを撮影して得られた各画像データに含まれる第１の被写体、及び第２の被写体を特定して、それぞれの被写体毎に当該被写体が特定されたエリアを示すエリア情報を時系列で管理する管理工程と、判定手段が、前記管理工程により管理されたエリア情報を用いて、前記第１の被写体が特定された各エリアの順番と、前記第２の被写体が特定された各エリアの順番とが異なるか否かを判定する判定工程と、通知手段が、前記判定工程により、前記第１の被写体が特定された各エリアの順番と、前記第２の被写体が特定された各エリアの順番とが異なると判定されたことを条件に、当該判定の結果をアラートとして通知する通知工程と、を備えることを特徴とする。
【手続補正６】
【補正対象書類名】明細書
【補正対象項目名】０００９
【補正方法】変更
【補正の内容】
【０００９】
また、本発明は、情報処理装置で読み取り実行可能なプログラムであって、前記情報処理装置を、カメラが各エリアを撮影して得られた各画像データに含まれる第１の被写体、及び第２の被写体を特定して、それぞれの被写体毎に当該被写体が特定されたエリアを示すエリア情報を時系列で管理する管理手段と、前記管理手段により管理されたエリア情報を用いて、前記第１の被写体が特定された各エリアの順番と、前記第２の被写体が特定された各エリアの順番とが異なるか否かを判定する判定手段と、前記判定手段により、前記第１の被写体が特定された各エリアの順番と、前記第２の被写体が特定された各エリアの順番とが異なると判定されたことを条件に、当該判定の結果をアラートとして通知する通知手段として機能させることを特徴とする。
【手続補正７】
【補正対象書類名】明細書
【補正対象項目名】００１０
【補正方法】変更
【補正の内容】
【００１０】
本発明によれば、第１の被写体が特定された各エリアの順番と、第２の被写体が特定された各エリアの順番とが異なると判定されたことを条件に、当該判定の結果をアラートとして通知することができる。